(57)【特許請求の範囲】
【請求項１】
対向する一対の面で構成される遊間内において該遊間内に侵入した侵入水の浸入方向に直交するように介在配置し該侵入水の止水を図る棒状のゴム製成形止水材であって、軸直交方向の断面形状において、平面形状の下面を有する基体を備え、該基体の左右端部からそれぞれ一体に立ち上がり対向する一対の弾性片を備えると共に、該各弾性片の中途部同士を架橋する架橋体を備え、上記遊間を構成する一面に上記基体の下面を圧接すると共に同他面に上記各弾性片の自由端部を圧接しつつ該各弾性片を拡開して止水を図ると共に、侵入水と接した方の上記弾性片の外面が該侵入水の水圧を受圧して同弾性片の自由端部の圧接を補完し、さらに上記架橋体によって上記各弾性片の開き過ぎを防止し、該各弾性片の自由端部の圧接を補完する構成としたことを特徴とするゴム製成形止水材。
【請求項２】
上記弾性片同士の対向間隔は該各弾性片の自由端側に行くにしたがって漸次広くなることを特徴とする請求項１記載のゴム製成形止水材。
【請求項３】
上記各弾性片の自由端部の端面を曲面形状としたことを特徴とする請求項１又は請求項２記載のゴム製成形止水材。
【請求項４】
上記基体の上面に金属製の板体を固定し、該板体を介して上記基体の下面を上記遊間を構成する一面に均一に圧接することを特徴とする請求項１乃至請求項３の何れかに記載のゴム製成形止水材。
【発明の詳細な説明】
【技術分野】
【０００１】
本発明は、対向する一対の面間に生ずる遊間、例えば防潮堤や擁壁を構成するコンクリート単位壁部材と該単位壁部材の端部を挾持するコンクリート製柱間に生ずる遊間内に介在配置し、同遊間内に侵入してきた侵入水（海水等）を食い止める棒状のゴム製成形止水材に関するものである。
【背景技術】
【０００２】
ゴム製成形止水材はゴムの弾性反発力を利用して遊間を構成する一対の面にそれぞれ圧接して止水を図るものであり、中でも弾性片を有し該弾性片の弾性反発力により上記圧接を行うゴム製成形止水材が既知である。
【０００３】
下記特許文献１，２には、何れも、遊間に沿って配される芯材の一側部に該遊間を構成する一面に圧接する複数の弾性片を備えると共に、同芯材の他側部に該遊間を構成する他面に圧接する複数の弾性片を備える棒状のゴム製成形止水材が開示されている。
【先行技術文献】
【特許文献】
【０００４】
【特許文献１】特開２０１０−２０９６４６号公報
【特許文献２】特許第５１０１７７２号公報
【発明の概要】
【発明が解決しようとする課題】
【０００５】
上記各特許文献に開示の成形止水材は、遊間を構成する一対の面の双方に弾性片の自由端部を圧接し止水を図るものである。そのため、遊間を構成する一面に圧接する弾性片の弾性反発力と同他面に圧接する弾性片の弾性反発力が相殺されてしまう問題点を有しており、強固な圧接が実現できないおそれがある。
【０００６】
また、上記各特許文献の成形止水材は、複数の弾性片が何れも遊間の開口側に撓む構成、すなわち全ての弾性片が同方向に撓む構成であり、侵入水の水圧によっては遊間の奥行き方向へ位置ズレしてしまうおそれをも有している。
【課題を解決するための手段】
【０００７】
本発明は、上記従来の成形止水材の問題点を有効に解決し、遊間を構成する一対の面の双方に強固に圧接するゴム製成形止水材を提供する。
【０００８】
要述すると、本発明に係るゴム製成形止水材は、対向する一対の面で構成される遊間内において該遊間内に侵入した侵入水の浸入方向に直交するように介在配置し該侵入水の止水を図る棒状のゴム製成形止水材であって、軸直交方向の断面形状において、平面形状の下面を有する基体を備えると共に、該基体の左右端部からそれぞれ一体に立ち上がり対向する一対の弾性片を備え、上記遊間を構成する一面に上記基体の下面を圧接すると共に同他面に上記各弾性片の自由端部を圧接しつつ該各弾性片を拡開して止水を図ると共に、侵入水と接した方の上記弾性片の外面が該侵入水の水圧を受圧して同弾性片の自由端部の圧接を補完する構成を有する。そのため、遊間を構成する一対の面の双方に強固に圧接できると共に位置ズレを効果的に防止する。
【０００９】
好ましくは、上記弾性片同士の対向間隔を該各弾性片の自由端側に行くにしたがって漸次広くなるように構成し、確実に上記一対の弾性片を拡開する。
【００１０】
また、上記各弾性片の自由端部の端面を曲面形状とし、該曲面形状の端面を遊間を構成する他面に摺接しつつ上記一対の弾性片を拡開させる。
【００１１】
また、上記各弾性片の中途部同士を架橋する架橋体を備え、該架橋体によって上記各弾性片の自由端部の圧接を補完する。
【００１２】
好ましくは、上記基体の上面に金属製の板体を固定し、該板体を介して上記基体の下面を上記遊間を構成する一面に均一に圧接する。
【発明の効果】
【００１３】
本発明に係るゴム製成形止水材によれば、遊間を構成する一面に基体の平面形状を呈する下面を均密に圧接すると共に、同遊間を構成する他面に、強制的に拡開した弾性片の自由端部を強固に圧接して、確実な止水を図ることができる。
【００１４】
また、上記拡開する一対の弾性片により効果的に振動を吸収することができ、緩衝材としても機能する。
【図面の簡単な説明】
【００１５】
【図１】（Ａ）は本発明に係るゴム製成形止水材の下側斜視図、（Ｂ）は同上側斜視図。
【図２】本発明に係るゴム製成形止水材の取付例を示す概要図。
【図３】ゴム製成形止水材の取付状態を示す平面図。
【図４】（Ａ）はゴム製成形止水材の取付状態を示す断面図、（Ｂ）はゴム製成形止水材の遊間内での状態を示す断面図。
【図５】ゴム製成形止水材の侵入水圧による変形を示す断面図。
【発明を実施するための形態】
【００１６】
以下、本発明に係るゴム製成形止水材の実施形態を図１乃至図５に基づき説明する。
【００１７】
本実施例においては、説明の便宜上、図２，図３に示すように、防潮堤を構成する単位壁部材Ｃ（コンクリート構造物）と該単位壁部材Ｃを挾持して支持する軸直交方向断面がＨ形のコンクリート製の柱Ｐ間に生ずる遊間Ｇ内に本発明に係るゴム製成形止水材１を取り付ける場合の実施例を示す。しかし、本発明に係るゴム製成形止水材においては、これに限らず、一対の面間に形成される遊間であれば容易に止水に供することができる。特に本実施例のように垂直方向に延びる遊間、例えば土留め壁、擁壁等の壁を構築する際に生ずる遊間における止水に最適である。
【００１８】
本発明に係るゴム製成形止水材１は、図４（Ｂ），図５に示すように、対向する一対の面、すなわち柱Ｐの挾持面Ｐａと単位壁部材Ｃの被挾持面Ｃａ（Ｃ′ａ）で構成される遊間Ｇ内において該遊間Ｇ内に侵入した侵入水（海水等）の浸入方向に直交するように介在配置し該侵入水の止水を図る棒状のゴム製成形止水材である。斯かるゴム製成形止水材１は、クロロプレンゴム、スチレンブタジエンゴム、イソプレンゴム、ブチルゴム、エチレンプロピレンゴム、天然ゴム、ニトリルゴム、ウレタンゴム、その他高分子材料等を単独又は複合して基本材料として使用し、既知の押し出し成形又はプレス成形により成形する。
【００１９】
基本構成としては、図１に示すように、軸直交方向の断面形状において、平面形状の下面２ａを有する断面矩形状の基体２を備えると共に、該基体２の右端部２ｃから一体に立ち上がる右側弾性片３と、同基体２の左端部２ｄから一体に立ち上がる左側弾性片４とを備え、該右側弾性片３と該左側弾性片４とが対向する構成を具備している。なお、図１（Ａ）中の２ｅは、後記する取付時にボルト７の軸部を挿入する貫通孔であり、成形止水材１の長手方向に沿って間隔を置いて複数穿設する。
【００２０】
好ましくは、右側弾性片３と左側弾性片４との対向間隔は、各弾性片３，４の自由端部３ａ，４ａに行くにしたがって漸次広くなるように設定し、後記するように、該各弾性片３，４が確実に拡開できるようにする。より好ましくは、図３にも示すように、各弾性片３，４の外面と基体２の左右端面が連続するようにし、後記するように、有効に侵入水の水圧を受圧できるようにする。また、上記各自由端部３ａ，４ａの端面は曲面形状とし、後記するように、該曲面形状の端面を遊間Ｇを構成する他面（被挾持面Ｃａ，Ｃ′ａ）に摺接しつつ右側弾性片３と左側弾性片４とを確実に拡開、すなわち右側弾性片３の自由端部３ａと左側弾性片４の自由端部４ａを相互に離間するように各弾性片３，４を変形させる。
【００２１】
また、右側弾性片３と左側弾性片４の中途部同士を架橋する架橋体５を備え、該架橋体５によって上記各弾性片３，４の開き過ぎを防止し、該各弾性片３，４の自由端部３ａ，４ａの圧接を補完する。すなわち、架橋体５により右側弾性片３の中途部と左側弾性片４の中途部とを繋ぎ、該各弾性片３，４の自由端部３ａ，４ａの相互離間方向への変形を許容しつつ過度の変形を防止する。なお、図１（Ｂ）中の５ａは、後記する取付時にボルト７の軸部及び頭部を挿入する貫通孔であり、成形止水材１の長手方向に沿って間隔を置いて複数穿設する。
【００２２】
また、基体２の上面２ｂに沿い金属製の板体６を配する構成を有する。該板体６は基体２の上面２ｂの長手方向に沿い連続的又は断続的に配し固定して、後記するように、基体２の下面２ａを遊間Ｇの構成面に均一に圧接する。
【００２３】
次に、本発明に係るゴム製成形止水材１（以下、単に「成形止水材」という。）の取付について詳述する。
【００２４】
図２，図３に示すように、間隔を置いて立設された柱Ｐは垂直に延びるウェブの前後端にそれぞれ垂直に延びるフランジを有する軸直交方向断面Ｈ形であり、図３にも示すように、各フランジの左右端部の内面、すなわち対向する二対の内面を挾持面Ｐａとして単位壁部材Ｃの左右端部を挾持して該単位壁部材Ｃを支持する。なお、図２，図３中のＣａは単位壁部材Ｃ端部の被挾持面を示しており、図３中のＣ′は上記単位壁部材Ｃと隣接する単位壁部材を示しており、Ｃ′ａは該隣接する単位壁部材Ｃ′端部の被挾持面を示している。
【００２５】
取付において好ましくは、予め上記柱Ｐの四つの挾持面Ｐａに該挾持面Ｐａの長手方向、つまり垂直方向に沿って本発明に係る成形止水材１を固定して取り付ける。
【００２６】
詳述すると、図４（Ａ）に示すように、柱Ｐの挾持面Ｐａにアンカー又はインサート８を埋設し、架橋体５に穿設した貫通孔５ａ、板体６に穿設した受入孔６ａ及び基体２に穿設した貫通孔２ｅにボルト７の軸部を貫挿して該軸部を上記アンカー又はインサート８と係合して取付を行う。
【００２７】
ボルト７の頭部が板体６の受入孔６ａに受け入れられ、該板体６がボルト７によって挾持面Ｐａ側に押し付けられ、これに伴い基体２の下面２ａが挾持面Ｐａに均一に圧接する。
【００２８】
次いで、上記のように予め成形止水材１が取り付けられた挾持面Ｐａとこれに対向する挾持面Ｐａ間に単位壁部材Ｃの各端部を差し入れる。この際には単位壁部材Ｃの各端部と最初に接する成形止水材１上端の右側弾性片３及び左側弾性片４を強制的に拡開しながら単位壁部材Ｃの各端部を差し入れることが望ましい。右側弾性片３と左側弾性片４とが閉じる方向に変形するのを抑止し、両弾性片３，４を確実に拡開させるためである。
【００２９】
そして、各単位壁部材Ｃの左右端部を対向する挾持面Ｐａ間に完全に差し入れると、図３，図４（Ｂ）に示すように、挾持面Ｐａと被挾持面Ｃａ（Ｃ′ａ）間に生ずる遊間Ｇ内に成形止水材１が介在配置することとなる。
【００３０】
特に本発明の成形止水材１にあっては、図４（Ｂ）に示すように、右側弾性片３と左側弾性片４の各自由端部３ａ，４ａが備える曲面形状の端面が被挾持面Ｃａ（Ｃ′ａ）に摺接しながら相互に離間することにより、該各弾性片３，４が拡開する。
【００３１】
すなわち、本発明に係る成形止水材１は、遊間Ｇを構成する一面（挾持面Ｐａ）に既述のように基体２の下面２ａを圧接すると共に、同他面（被挾持面Ｃａ（Ｃ′ａ））に図４（Ｂ）に示すように上記各弾性片３，４の自由端部３ａ，４ａを圧接しつつ該各弾性片３，４を拡開して止水を図ることができる。
【００３２】
さらに、本発明に係る成形止水材１にあっては、図５に示すように、侵入水と接した方の弾性片、つまり図５においては右側弾性片３の外側面３ｂが該侵入水の水圧を受圧して同弾性片３の自由端部３ａの圧接を補完する構成を有する。
【００３３】
以上のように、本発明に係る成形止水材１は、遊間を構成する一対の面Ｐａ，Ｃａの双方に強固に圧接できると共に、該強固な圧接に伴い自身の位置ズレをも効果的に防止しながら、確実に止水を図ることができる。
【００３４】
また、右側弾性片３と左側弾性片４の中途部同士を架橋する架橋体５によって該各弾性片３，４の開き過ぎを防止し、該各弾性片３，４の自由端部３ａ，４ａの圧接を補完することができ、緩衝材としても機能することができる。
【００３５】
なお、本実施例においては、予め柱Ｐ側に成形止水材１を固定して取り付ける例を示したが、単位壁部材Ｃ（Ｃ′）側に成形止水材１を固定して取り付けておいてもよいことは勿論である。
【符号の説明】
【００３６】
１…成形止水材、２…基体、２ａ…下面、２ｂ…上面、２ｃ…右端部、２ｄ…左端部、２ｅ…貫通孔、３…右側弾性片、３ａ…自由端部、３ｂ…外側面、４…左側弾性片、４ａ…自由端部、５…架橋体、５ａ…貫通孔、６…板体、６ａ…受入孔、７…ボルト、８…アンカー又はインサート、Ｃ，Ｃ′…単位壁部材（コンクリート構造物）、Ｃａ，Ｃ′ａ…被挾持面、Ｐ…柱、Ｐａ…挾持面、Ｇ…遊間。
【図１】
0006407124.tif 000002
【図２】
0006407124.tif 000003
【図３】
0006407124.tif 000004
【図４】
0006407124.tif 000005
【図５】
0006407124.tif 000006